(57)【要約】【課題】給湯器に関する画像、給湯器以外に関する画像の何れか一方又は双方の表示、給湯器以外に関する画像の表示中、その画像形態を損なうことなく、必要な給湯器操作等を行える給湯器のリモコン装置を提供すること。【解決手段】給湯器又は給湯器以外に関する画像を表示させる表示部（液晶モニタ８）と、給湯器に対応する第１のスイッチ（給湯器運転スイッチ１４）と、給湯器以外に対応する第２のスイッチ（テレビ電源スイッチ２０等）と、表示切替スイッチ（１６）と、タッチスイッチ（タッチパネル１０等）と、給湯器に関する画像を表示させ、タッチスイッチの操作で給湯器の操作を可能にするとともに、表示部に給湯器以外に関する画像を表示させ、この画像上に、表示切替スイッチの操作で給湯器に関する画像を重ねて表示させ、その画像上から給湯器の操作を可能にした制御手段（制御装置３２）とを備えている。【選択図】　　　　図１
2004036916.tif 000002
【特許請求の範囲】
【請求項１】
給湯器に関する画像、前記給湯器以外に関する画像の何れか一方又は双方を表示させる表示部と、
この表示部外に設置されて前記給湯器に対応する第１のスイッチと、
前記表示部外に設置されて前記給湯器以外の画像に対応する第２のスイッチと、
前記表示部の表示を切り替える表示切替スイッチと、
前記表示部内に設けられたタッチスイッチと、
前記第１のスイッチの操作で前記表示部に前記給湯器に関する画像を表示させ、その画像に対応する前記タッチスイッチの操作で前記給湯器の操作を可能にするとともに、前記第２のスイッチの操作で前記表示部に前記給湯器以外に関する画像を表示させ、この画像上に、前記表示切替スイッチの操作で前記給湯器に関する画像を重ねて表示させ、その画像上から前記タッチスイッチにより前記給湯器の操作を可能にした制御手段と、
を備えたことを特徴とする給湯器のリモコン装置。
【請求項２】
前記第１のスイッチ、前記第２のスイッチ及び前記表示切替スイッチが前記表示部とともにタッチパネルで形成されたことを特徴とする請求項１記載の給湯器のリモコン装置。
【請求項３】
前記給湯器に関する画像が、前記表示切替スイッチの操作、又は前記表示切替スイッチの操作の後、前記タッチスイッチの操作により、異なる表示内容の画像に切り替えられることを特徴とする請求項１記載の給湯器のリモコン装置。
【請求項４】
前記給湯器以外に関する画像上に重ねて表示される前記給湯器に関する画像が、通常の前記給湯器に関する画像より小さくかつ前記表示部の縁側に表示されるアイコンであることを特徴とする請求項１記載の給湯器のリモコン装置。
【請求項５】
前記給湯器以外に関する画像が装置内に内蔵されたテレビ受信部の画像又はそれ以外のテレビ画像、再生画像であることを特徴とする請求項１又は２記載の給湯器のリモコン装置。
【発明の詳細な説明】
【０００１】
【発明の属する技術分野】
本発明は、浴室等に設置されて給湯器の遠隔操作に用いられる給湯器のリモコン装置に係り、特に、給湯器に関する画像、テレビ画像等の給湯器以外に関する画像等の表示が可能な給湯器のリモコン装置に関する。
【０００２】
【従来の技術】
従来、給湯器のリモコン装置には、画像を表示する表示部が備えられ、給湯器の遠隔操作をその画像表示に基づいて行うようにしたものがある。例えば、特開平１０−５４６０９号「給湯器の表示装置」、特開２００１−１２７９８号「インターホンリモコン付給湯装置」等がある。
【０００３】
【発明が解決しようとする課題】
ところで、特開平１０−５４６０９号「給湯器の表示装置」では、リモコン画像とテレビ画像とを同一の画像表示器で表示しているが、テレビスイッチとリモコンスイッチとを併用して表示切替えをする技術が開示されているにすぎない。
【０００４】
また、特開２００１−１２７９８号「インターホンリモコン付給湯装置」には、インターホンに設置されたテレビカメラからの画像情報を表示部に表示し、インターホンの親機としての機能を給湯器リモコンで行うようにしたものが開示されているにすぎない。
【０００５】
そこで、本発明は、給湯器に関する画像、給湯器以外に関する画像の何れか一方又は双方を表示させるとともに、給湯器以外に関する画像を表示しているとき、その画像形態を損なうことなく、必要な給湯器操作等を行えるようにした給湯器のリモコン装置を提供することを課題とする。
【０００６】
【課題を解決するための手段】
係る課題を解決した本発明の給湯器のリモコン装置は次の通りである。
【０００７】
請求項１に係る本発明の給湯器のリモコン装置は、給湯器に関する画像、前記給湯器以外に関する画像の何れか一方又は双方を表示させる表示部（液晶モニタ８）と、この表示部外に設置されて前記給湯器に対応する第１のスイッチ（給湯器運転スイッチ１４）と、前記表示部外に設置されて前記給湯器以外の画像に対応する第２のスイッチ（テレビ電源スイッチ２０、チャンネル切替スイッチ２２、音量調整スイッチ２４、明るさ調整スイッチ２６）と、前記表示部の表示を切り替える表示切替スイッチ（１６）と、前記表示部内に設けられたタッチスイッチ（タッチパネル１０、パネルスイッチ１３８、１４０等）と、前記第１のスイッチの操作で前記表示部に前記給湯器に関する画像を表示させ、その画像に対応する前記タッチスイッチの操作で前記給湯器の操作を可能にするとともに、前記第２のスイッチの操作で前記表示部に前記給湯器以外に関する画像を表示させ、この画像上に、前記表示切替スイッチの操作で前記給湯器に関する画像を重ねて表示させ、その画像上から前記タッチスイッチにより前記給湯器の操作を可能にした制御手段（制御装置３２）とを備えたことを特徴とする。
【０００８】
このような構成とすれば、表示部に給湯器に関する画像、給湯器以外に関する画像の何れか一方又は双方を表示させることができ、表示部には、第１のスイッチの操作により給湯器に関する画像、第２のスイッチの操作により給湯器以外に関する画像が表示され、この給湯器以外に関する画像が表示されているとき、表示切替スイッチの操作により、その画像上に重ねて給湯器に関する画像が表示される。給湯器に関する画像では、その表示内容に対応して表示部内のタッチスイッチを操作することで、給湯器を操作することができる。また、給湯器以外に関する画像上に重ねて給湯器に関する画像が表示されているとき、その表示内容に対応して表示部内のタッチスイッチを操作することで、給湯器を操作することができる。
【０００９】
請求項２に係る本発明の給湯器のリモコン装置は、前記第１のスイッチ、前記第２のスイッチ及び前記表示切替スイッチが前記表示部とともにタッチパネルで形成されたことを特徴とする。第１のスイッチ、第２のスイッチ及び表示切替スイッチをタッチパネルで構成すれば、個別に設置される機械的なスイッチを省略することが可能となり、スイッチの構成を簡略化できる。
【００１０】
請求項３に係る本発明の給湯器のリモコン装置は、前記給湯器に関する画像が、前記表示切替スイッチの操作、又は前記表示切替スイッチの操作の後、前記タッチスイッチの操作により、異なる表示内容の画像に切り替えられることを特徴とする。このように表示内容を操作によって切り替えるので、表示内容の優先順位や大きさ等の表示形態を任意に変更して設定でき、給湯器操作の表示、その表示の切替えにより、テレビ画像等の表示を損なうことがなく、画像上で給湯器の操作をテレビ画像を見ながら行える。
【００１１】
請求項４に係る本発明の給湯器のリモコン装置は、前記給湯器以外に関する画像上に重ねて表示される前記給湯器に関する画像が、通常の前記給湯器に関する画像より小さくかつ前記表示部の縁側に表示されるアイコンであることを特徴とする。即ち、テレビ画像等の給湯器以外に関する画像では、給湯器に関する画像と異なり、その画像内容が精緻であり、多様な情報を提供していることが予想されるので、給湯器に関する画像は、第１のスイッチによる画像、即ち、通常の給湯器に関する画像より小さくし、その表示部分も表示部の隅に置くことで、給湯器以外に関する画像が損なわれることを防止できる。
【００１２】
請求項５に係る本発明の給湯器のリモコン装置は、前記給湯器以外に関する画像が装置内に内蔵されたテレビ受信部の画像又はそれ以外のテレビ画像、再生画像であることを特徴とする。この画像には、インターホンカメラの画像も含まれる。
【００１３】
【発明の実施の形態】
図１は本発明の実施の形態に係る給湯器のリモコン装置を示し、（Ａ）はその表示パネル部、（Ｂ）は浴室の内壁面上のリモコン装置を示している。
【００１４】
このリモコン装置は、その筐体２を前面パネル部４が浴室内に壁面６より突出した状態で設置される。前面パネル部４には給湯器に関する画像、テレビ画像等、給湯器以外に関する画像の何れか一方又は双方を表示させる表示部としてＴＦＴ液晶表示素子等からなる液晶モニタ８が設けられている。この液晶モニタ８にはタッチによってスイッチ開閉が可能なタッチスイッチとしてのパネルスイッチを持つタッチパネル１０が設置されている。タッチパネル１０には、抵抗膜方式、超音波方式、光学式、静電容量式、電磁誘導式等の各種の方式を利用することができる。また、前面パネル部４には、「給湯優先」、「給湯燃焼」、「高温注意」、「ふろ自動」、「追焚燃焼」、「省電力」等、各種動作モードメニューや注意喚起等についてのアイコン表示を行うメニュー等表示部１２、給湯器に対応する第１のスイッチとしての給湯器運転スイッチ（「入／切」）１４、表示切替スイッチ１６、インターホンの通話スイッチ１８が設置され、また、給湯器以外の画像に対応する第２のスイッチとしてテレビ電源スイッチ（「入／切」）２０、チャンネル切替スイッチ２２、音量調整スイッチ２４及び明るさ調整スイッチ２６が設置されている。前面パネル部４の内部には、スピーカ２８及びマイクロホン３０が設置されている。
【００１５】
そして、このリモコン装置は、例えば、図２及び図３に示す制御装置３２を備えており、この制御装置３２は、給湯器運転スイッチ１４等の第１のスイッチの操作で表示部としての液晶モニタ８に給湯器に関する画像を表示させ、その画像に対応するタッチスイッチ（タッチパネル１０のパネルスイッチ）操作で給湯器の操作を可能にするとともに、テレビ電源スイッチ２０等の第２のスイッチの操作で液晶モニタ８に給湯器以外に関する画像を表示させ、この画像上に、表示切替スイッチ１６の操作で給湯器に関する画像を重ねて表示させ、その画像上からタッチスイッチにより給湯器の操作を可能にする等、各種の制御を行う制御手段を構成している。この制御装置３２が行う各種制御には、テレビ受像制御、給湯制御、画像表示制御、インターホン制御等の各種の制御が含まれる。
【００１６】
そこで、制御装置３２には、テレビ受信部３４、各種制御を行うマイクロコンピュータで構成される主制御部３６、インターホン回路３８等が設置されている。テレビ受信部３４には、テレビ電波を受信して画像信号及び音声信号を取り出すテレビチューナ回路４０、画像信号変換回路４２、画像信号合成回路４４、液晶モニタ駆動回路４６、同期信号発生回路４８とともにマイクロコンピュータで構成されたビデオ制御部（ＶＤＰ）５０が設置され、このビデオ制御部５０には記憶手段としてＲＯＭ５２及びＲＡＭ５４が接続されるとともに、動作クロックを発生させるクロック回路５６が接続され、液晶モニタ駆動回路４６の出力は液晶モニタ８に加えられている。
【００１７】
ところで、テレビチューナ回路４０は、アンテナ４１からのテレビ信号を受信し、画像信号と音声信号とに分離して出力するが、主制御部３６からの指示信号によりチャンネルを選局することができる。このテレビチューナ回路４０で取り出された音声信号は音声信号切替回路５８で選択された後、音声増幅回路６０で増幅されてスピーカ２８に加えられている。画像信号変換回路４２は、液晶モニタ８に画像を表示させるための映像信号をデジタル変換する回路であり、画像信号合成回路４４は、テレビ画像信号とビデオ制御部５０で作られた画像信号とを合成する手段である。
【００１８】
また、液晶モニタ駆動回路４６は、画像信号を液晶モニタ８に表示させる手段であり、同期信号発生回路４８は、テレビ画像信号とビデオ制御部５０の画像信号との同期を取るための信号を発生させる手段である。ビデオ制御部５０は、画像表示制御用プロセッサで構成され、リモコン用の文字や絵、図形を液晶モニタ８に表示させるためのものであり、主制御部３６からの指示により、例えば、図１２及び図１３に示す画像では、背景色を透明にし、図５、図６、図７又は図８に示す表示では、背景色を例えば、「青」に設定する。音声信号切替回路５８は、テレビの音声信号かインターホン回路３８の通話信号か又は音声合成信号かを選択し、切り替える回路であり、その切替指示は主制御部３６から出力される。音声増幅回路６０は、音声信号を増幅してスピーカ２８を駆動する手段であり、その音量調整は主制御部３６によって行われる。
【００１９】
主制御部３６には記憶手段としてのＲＯＭ６２、ＲＡＭ６４の他、クロック回路６６、音声合成回路６８、送受信回路７０等が接続され、タッチパネル１０のスイッチ入力がタッチパネル入力回路７２を通して加えられている。ここで、音声合成回路６８は、操作方法や給湯器の運転状態を音声にて顧客に案内するための音声合成手段であって、主制御部３６からの指示にて、所定の音声内容を出力するものである。また、タッチパネル入力回路７２は、タッチパネル１０のタッチされた位置データをデジタル数値に置き換え、主制御部３６に出力する。また、給湯器運転スイッチ１４、表示切替スイッチ１６、通話スイッチ１８、テレビ電源スイッチ２０、チャンネル切替スイッチ２２、音量調整スイッチ２４、明るさ調整スイッチ２６からのスイッチ入力が個別に設けられた入力回路８８、９０、９２、９４、９６、９８、１００を通して加えられ、主制御部３６から出力される表示出力が点灯回路１０２、１０４、１０６、１０８、１１０、１１２、１１４、１１６を通して「給湯器入／切」表示ランプ１１８、「通話」表示ランプ１２０、「給湯燃焼」表示ランプ１２２、「追焚燃焼」表示ランプ１２４、「ふろ自動」表示ランプ１２６、「給湯優先」表示ランプ１２８、「高温注意」表示ランプ１３０、「省電力」表示ランプ１３２に加えられている。各入力回路８８〜１００は、各スイッチ１４〜２６のＯＮ／ＯＦＦを電圧に変換し、主制御部３６に入力する。
【００２０】
送受信回路７０は、給湯器本体と二芯線にて接続され、シリアル双方向データ通信を行う手段であって、シリアル双方向データ通信の送信／受信を行うためのデータ変換回路である。この場合、給湯器本体とは、例えば、浴室に設置される本発明に係るリモコン装置以外に台所リモコンや洗面所に設置する増設リモコンも同様に接続可能である。即ち、送受信回路７０には、給湯器の燃焼動作等の各種制御を行う給湯器本体コントローラ１３４が二芯線を用いてシリアル双方向データ通信を可能に接続されているとともに、他のリモコン装置として台所リモコン１３６が二芯線を用いてシリアル双方向データ通信を可能に接続され、さらにはインターホン回路３８が接続されている。インターホン回路３８にはマイクロホン３０が接続されているとともに、音声切替回路５８を介して音声増幅回路６０が接続されており、マイクロホン３０を通して音声入力が加えられ、音声出力がスピーカ２８から出力される。この場合、インターホン回路３８は、台所リモコン１３６や増設リモコンと双方向通話を行うための音声通話制御回路であって、マイクロホン３０から音声を入力して変調を行い、その信号を送受信回路７０を経て二芯線上に重畳させる。また、台所リモコン１３６や増設リモコンからの通話信号は送受信回路７０を経てインターホン回路３８で復調された後、音声信号切替回路５８からスピーカ２８より音声出力が得られる。
【００２１】
このように構成された給湯器のリモコン装置において、その操作に対する制御内容を説明する。
【００２２】
図４は、制御のメインルーチンを示す。ステップＳ１で給湯器運転スイッチ１４が投入されているか否かを判定し、投入されていない場合にはステップＳ２に移行し、給湯器動作の停止、画面表示を停止するとともに、メニュー等表示部１２を消灯状態にする。そして、ステップＳ３では、テレビ電源スイッチ２０が投入されているか否かを判定し、投入されている場合にはステップＳ４に移行してテレビ画像表示を可能にするとともに、テレビ操作を可能にする。また、テレビ電源スイッチ２０が投入されていない場合には、ステップＳ５に移行し、画面表示の消去、即ち、画面表示を解除状態に制御する。
【００２３】
また、ステップＳ１で給湯器運転スイッチ１４が投入されていると判定された場合には、ステップＳ６に移行し、テレビ電源スイッチ２０が投入されているか否かを判定し、テレビ電源スイッチ２０が投入されている場合には、ステップＳ７に移行し、テレビ画像表示とともにテレビ操作が可能となり、その画像上で給湯器操作が行える。
【００２４】
また、ステップＳ６でテレビ電源スイッチ２０が投入されていないと判定された場合には、ステップＳ８に移行し、リモコン用画面表示及び給湯器操作を可能にする。
【００２５】
ステップＳ８において、リモコン用画面として液晶モニタ８には例えば、図５に示す初期メニュー画像が表示される。画像上の「ふろ自動」、「追いだき」、「体脂肪」の各アイコン表示は、タッチパネル１０上のパネルスイッチ１３８、１４０、１４２の位置を表している。パネルスイッチ１３８を押せば、風呂自動給湯及び追焚きモード、パネルスイッチ１４０を押せば、追焚きモード、パネルスイッチ１４２を押せば、体脂肪測定モードが主制御部３６に指示される。
【００２６】
また、次に表示切替スイッチ１６を操作すると、初回表示とは異なるメニューモード表示が行われ、例えば、図６に示す次のメニュー画像が表示される。画像上の「ポンプ」、「たしゆ」、「予約」「戻る」、「給湯優先」、「ぬるく」、「設定変更」の各表示は、タッチパネル１０上のパネルスイッチ１４４、１４６、１４８、１５０、１５２、１５４、１５６の位置を表している。即ち、パネルスイッチ１４４を押せば給湯器のポンプ駆動、パネルスイッチ１４６を押せばたしゆモード、パネルスイッチ１４８を押せば予約モード、パネルスイッチ１５０を押せば図５に示す前画面表示、パネルスイッチ１５２を押せば給湯優先モード、パネルスイッチ１５４を押せばぬるくモード、パネルスイッチ１５６を押せば設定変更が主制御部３６に指示される。
【００２７】
パネルスイッチ（設定変更）１５４を押すと、前回表示とは異なるメニューモード表示として設定変更モードに切り替わり、例えば、図７に示す次のメニュー画像が表示される。画像上の「音量」、「現在時刻」、「給湯温度」「戻る」、「保温時間」、「予約時刻」、「ふろ温度」、「ふろ水位」の各アイコン表示は、タッチパネル１０上のパネルスイッチ１５８、１６０、１６２、１６４、１６６、１６８、１７０、１７２の位置を表している。即ち、パネルスイッチ１５８を押せば音量調整モード、パネルスイッチ１６０を現在時刻表示モード、パネルスイッチ１６２を押せば給湯温度設定モード、パネルスイッチ１６４を押せば図６に示す前画面表示、パネルスイッチ１６６を押せば保温時間設定モード、パネルスイッチ１６８を押せば予約時刻変更モード、パネルスイッチ１７０を押せばふろ温度変更モード、パネルスイッチ１７２を押せばふろ水位変更モードが主制御部３６に指示される。
【００２８】
パネルスイッチ（ふろ水位）１７２を押すと、前回表示とは異なるメニューモード表示としてふろ水位変更モードに移行し、例えば、図８に示す次のメニュー画像が表示される。画像上の浴槽表示及びレベル表示とともに表示された「戻る」、「▲」、「▼」の各アイコン表示は、タッチパネル１０上のパネルスイッチ１７４、１７６、１７８の位置を表している。。即ち、パネルスイッチ１７４を押せば図７に示す前画面表示、パネルスイッチ１７６を押せば水位上昇、パネルスイッチ１７８を押せば水位下降が主制御部３６に指示される。
【００２９】
次に、図９、図１０及び図１１は、テレビ画像が表示中にリモコン操作を行う場合の制御内容を示している。各フローチャートにおいて、Ａ、Ｂ、Ｃ及びＤは連結子を示している。
【００３０】
このリモコン操作では、テレビ受信中にその画像内に必要なアイコンを表示させ、そのアイコンで表示された部分のパネルスイッチを利用して追焚き、たしゆ等の操作を行う。
【００３１】
このリモコン操作において、ステップＳ１１では、表示切替スイッチ１６がＯＮしているか否かを判定し、ＯＦＦの場合にはこのリモコン操作を終了し、また、ＯＮしている場合にはステップＳ１２に移行し、液晶モニタ８にテレビ画像が表示中か否かを判定する。液晶モニタ８にテレビ画像が表示されていない場合には、このリモコン操作を終了し、テレビ画像が表示されている場合には、ステップＳ１３に移行し、ステップＳ１１の表示切替スイッチ１６のＯＮに基づき、液晶モニタ８に例えば、図１２に示すように、受信中のテレビ画像に重ねて「追いだき」、「たしゆ」、「ぬるく」及び「給湯温度」を表示する。この表示は、テレビ画像が損なわれないように、液晶モニタ８の表示画面の下部に小さく表示する。しかも、これらの表示、「追いだき」、「たしゆ」、「ぬるく」及び「給湯温度」は、その背後のテレビ画像が透けて見えるように画面上に形成する。そして、「追いだき」、「たしゆ」、「ぬるく」及び「給湯温度」の表示は、タッチパネル１０上のパネルスイッチ１８０、１８２、１８４、１８６を表している。
【００３２】
ステップＳ１４では「追いだき」を指令するパネルスイッチ１８０がＯＮか否かを判定し、このパネルスイッチ１８０が操作された場合、ステップＳ１５に移行し、追いだき動作開始が主制御部３６に指示され、給湯器本体コントローラ１３４を通じて追いだき動作が行われる。この追いだき動作が完了し、又はステップＳ１４でパネルスイッチ１８０がＯＦＦ状態の場合、ステップＳ１６に移行し、追いだき動作停止の指令が発せられて追いだき動作が停止する。
【００３３】
また、ステップＳ１７では「たしゆ」を指令するパネルスイッチ１８２がＯＮか否かを判定し、このパネルスイッチ１８２が操作された場合、ステップＳ１８に移行し、たしゆ動作開始が主制御部３６に指示され、給湯器本体コントローラ１３４を通じてたしゆ動作が行われる。このたしゆ動作が完了し、又はステップＳ１７でパネルスイッチ１８２がＯＦＦ状態の場合、ステップＳ１９に移行し、たしゆ動作停止の指令が発せられてたしゆ動作が停止する。
【００３４】
また、ステップＳ２０では「ぬるく」を指令するパネルスイッチ１８４がＯＮか否かを判定し、このパネルスイッチ１８４が操作された場合、ステップＳ２１に移行し、ぬるく動作開始が主制御部３６に指示され、給湯器本体コントローラ１３４を通じてぬるく動作が行われる。このぬるく動作が完了し、又はステップＳ２０でパネルスイッチ１８４がＯＦＦ状態の場合、ステップＳ２２に移行し、ぬるく動作停止の指令が発せられてぬるく動作が停止する。
【００３５】
また、ステップＳ２３では「給湯温度」を指令するパネルスイッチ１８６がＯＮか否かを判定し、このパネルスイッチ１８６が操作された場合、図１０に示すステップＳ２４に移行し、例えば、図１３に示すように、液晶モニタ８の画面が切替わり、「給湯温度４２℃」が表示されるとともに、温度上昇「▲」と温度下降「▼」が表示され、これら「▲」、「▼」の表示は、タッチパネル１０上のパネルスイッチ１８８、１９０を表している。ステップＳ２５でパネルスイッチ１８８を一回押すと、ステップＳ２６に移行して温度を一段階上昇させる処理が行われる。この場合、一段階の温度上昇は、０．５℃、１℃、２℃等の所望の温度幅を予め設定しておく。また、ステップＳ２７でパネルスイッチ１９０を一回押すと、ステップＳ２８に移行して温度を一段階下降させる処理が行われる。この場合、一段階の温度下降は、温度上昇と同様に０．５℃、１℃、２℃等の所望の温度幅を予め設定しておく。
【００３６】
そして、ステップＳ２９では、パネルスイッチ１８８、１９０の操作又はステップＳ２４の「給湯温度４２℃」、「▲」及び「▼」の表示から所定時間、例えば、１０秒が経過したか否かを判定し、１０秒経過前ではステップＳ３０に移行し、表示切替スイッチ１６が操作されたか否かを判定し、操作されていない場合には、ステップＳ２５に戻り、パネルスイッチ１８８、１９０の操作を許可し、表示切替スイッチ１６が操作された場合には、ステップＳ３１に移行し、図１３に示す、「給湯温度４２℃」、「▲」及び「▼」の表示を消去し、この処理を完了する。また、ステップＳ２９でパネルスイッチ１８８、１９０の操作又はステップＳ２４の「給湯温度４２℃」、「▲」及び「▼」の表示から所定時間が経過した場合には、同様にステップＳ３１に移行し、「給湯温度４２℃」、「▲」及び「▼」の表示を消去し、この処理を完了する。
【００３７】
また、ステップＳ２３において、パネルスイッチ１８６の操作がされなかった場合には、図１１に示すフローチャートのステップＳ３２に移行し、所定時間、例えば、１０秒が経過したか否かを判定し、１０秒経過前ではステップＳ３３に移行し、表示切替スイッチ１６が操作されたか否かを判定し、操作されていない場合には、ステップＳ１４に戻り、パネルスイッチ１８０〜１８６の操作を許可し、また、表示切替スイッチ１６が操作された場合には、ステップＳ３４に移行し、図１２に示す、「追いだき」、「たしゆ」、「ぬるく」及び「給湯温度」の表示を消去し、この処理を完了する。また、ステップＳ２３のパネルスイッチ１８６が操作されず、所定時間が経過した場合には、同様にステップＳ３４に移行し、「追いだき」、「たしゆ」、「ぬるく」及び「給湯温度」の表示を消去し、この処理を完了する。
【００３８】
このように、この給湯器のリモコン装置によれば、液晶モニタ８の表示に従って給湯器の遠隔操作が可能であるとともに、テレビ画像を表示することができる。テレビ画像を受像中には、その画面の下部に「追いだき」、「たしゆ」、「ぬるく」及び「給湯温度」の表示、「給湯温度４２℃」、「▲」及び「▼」の表示を行い、パネルスイッチ１８０〜１９０によって給湯器リモコンの主要操作を行うことができ、テレビ画像を損なうことがない。しかも、テレビ聴取中に給湯器の動作等、リモコン操作の必要が生じた場合でも、テレビ映像を中断することがない。
【００３９】
また、給湯器とそれ以外のテレビ等の操作を独立したスイッチ、即ち、給湯器運転スイッチ１４等の第１のスイッチ、テレビ電源スイッチ２０等の第２のスイッチ、表示切替スイッチ１６を用いて行うことができ、簡単なスイッチ操作によって給湯器の遠隔操作と給湯器以外のテレビ受像機等の操作を行うことができる。
【００４０】
なお、図１の前面パネル部４において、タッチパネル１０を前面パネル部４に拡大し、給湯器運転スイッチ１４、表示切替スイッチ１６、インターホンの通話スイッチ１８、テレビ電源スイッチ２０、チャンネル切替スイッチ２２、音量調整スイッチ２４、明るさ調整スイッチ２６もパネルスイッチで構成してもよい。このようにすれば、スイッチがタッチパネル１０で集約化でき、前面パネル部４の表面をフラット化することができ、デザインの自由度の拡大とともに、結露による汚れ等をも防止できる。
【００４１】
【発明の効果】
以上説明したように、本発明によれば、次の効果が得られる。
ａ　給湯器に関する画像、給湯器以外に関する画像の何れか一方又は双方を表示させることができ、給湯器以外に関する画像を表示しているとき、その画像形態を損なうことなく、必要な給湯器操作等を行えるようにした給湯器のリモコン装置を提供することができる。給湯器に関する画像では、その表示内容に対応して表示部内のタッチスイッチを操作することで、給湯器を操作することができ、また、給湯器以外に関する画像上に重ねて給湯器に関する画像が表示されているとき、その表示内容に対応して表示部内のタッチスイッチを操作することで、給湯器を操作することができる。
【００４２】
ｂ　第１のスイッチ、第２のスイッチ及び表示切替スイッチをタッチパネルで構成すれば、スイッチ構成を簡略化できる。
【００４３】
ｃ　表示切替スイッチの操作、又は表示切替スイッチの操作の後、タッチスイッチの操作によりその表示内容を操作によって切り替えるので、表示内容の優先順位や表示形態の大きさを大きくできるとともに、給湯器操作の表示、その表示の切替えにより、テレビ画像等の表示を損なうことがなく、画像上で給湯器操作を行うことができる。
【００４４】
ｄ　テレビ画像等の給湯器以外に関する画像では、給湯器に関する画像と異なり、その画像内容が精緻であり、多様な情報を提供していることが予想されるので、給湯器に関する画像は、第１のスイッチによる画像、即ち、通常の給湯器に関する画像より小さくし、その表示部分も表示部の隅に置くことで、テレビ画像等の給湯器以外に関する画像の邪魔にならず、画像を損なうことがない。
【００４５】
ｅ　給湯器以外に関する画像が装置内に内蔵されたテレビ受信画像又はそれ以外のテレビ画像、再生画像やインターホンカメラの画像も表示することができる。
【図面の簡単な説明】
【図１】本発明の実施の形態に係る給湯器のリモコン装置を示し、（Ａ）はその前面パネル部を示す正面図、（Ｂ）は浴室内に設置されたリモコン装置の取付状態を示す側面図である。
【図２】制御装置を示すブロック図である。
【図３】制御装置を示すブロック図である。
【図４】リモコン操作のメインルーチンを示すフローチャートである。
【図５】給湯操作モードにおける液晶モニタの表示画面等を示す図である。
【図６】給湯操作モードにおける液晶モニタの表示画面等を示す図である。
【図７】給湯操作モードにおける液晶モニタの表示画面等を示す図である。
【図８】給湯操作モードにおける液晶モニタの表示画面等を示す図である。
【図９】テレビ受像中の給湯操作を示すフローチャートである。
【図１０】テレビ受像中の給湯操作を示すフローチャートである。
【図１１】テレビ受像中の給湯操作を示すフローチャートである。
【図１２】テレビ画像上にリモコン操作表示を重ねて表示した液晶モニタの表示画面等を示す図である。
【図１３】テレビ画像上にリモコン操作表示を重ねて表示した液晶モニタの表示画面等を示す図である。
【符号の説明】
８　液晶モニタ（表示部）
１０　タッチパネル
１４　給湯器運転スイッチ（第１のスイッチ）
１６　表示切替スイッチ
２０　テレビ電源スイッチ（第２のスイッチ）
２２　チャンネル切替スイッチ（第２のスイッチ）
２４　音量調整スイッチ（第２のスイッチ）
２６　明るさ調整スイッチ（第２のスイッチ）
３２　制御装置（制御手段）
【図１】
2004036916.tif 000003
【図２】
2004036916.tif 000004
【図３】
2004036916.tif 000005
【図４】
2004036916.tif 000006
【図５】
2004036916.tif 000007
【図６】
2004036916.tif 000008
【図７】
2004036916.tif 000009
【図８】
2004036916.tif 000010
【図９】
2004036916.tif 000011
【図１０】
2004036916.tif 000012
【図１１】
2004036916.tif 000013
【図１２】
2004036916.tif 000014
【図１３】
2004036916.tif 000015
【手続補正書】
【提出日】平成14年7月3日(2002.7.3)
【手続補正１】
【補正対象書類名】明細書
【補正対象項目名】００２７
【補正方法】変更
【補正の内容】
【００２７】
パネルスイッチ（設定変更）１５６を押すと、前回表示とは異なるメニューモード表示として設定変更モードに切り替わり、例えば、図７に示す次のメニュー画像が表示される。画像上の「音量」、「現在時刻」、「給湯温度」「戻る」、「保温時間」、「予約時刻」、「ふろ温度」、「ふろ水位」の各アイコン表示は、タッチパネル１０上のパネルスイッチ１５８、１６０、１６２、１６４、１６６、１６８、１７０、１７２の位置を表している。即ち、パネルスイッチ１５８を押せば音量調整モード、パネルスイッチ１６０を現在時刻表示モード、パネルスイッチ１６２を押せば給湯温度設定モード、パネルスイッチ１６４を押せば図６に示す前画面表示、パネルスイッチ１６６を押せば保温時間設定モード、パネルスイッチ１６８を押せば予約時刻変更モード、パネルスイッチ１７０を押せばふろ温度変更モード、パネルスイッチ１７２を押せばふろ水位変更モードが主制御部３６に指示される。